(57)【要約】【課題】見切り材の長手方向における継ぎ目部分で隙間が発生するのを抑制する。【解決手段】床見切りは、長さを有する土台部と、前記土台部の長手方向に沿って長さを有し、前記土台部の上側に装着される見切り材と、前記見切り材の前記土台部側に設けられ、前記見切り材の長手方向断面視にて凹及び凸の一方の形状とされた被係合部と、前記土台部の前記見切り材側に設けられ、前記長手方向断面視にて凹及び凸の他方の形状とされ、前記被係合部に係合することで前記見切り材の長手方向の移動を規制する係合部と、を備える。【選択図】図２
2014145169.tif 000002
【特許請求の範囲】
【請求項１】
土台部と、
前記土台部の長手方向に沿って前記土台部の上側に装着される見切り材と、
前記見切り材の前記土台部側に設けられ、前記見切り材の長手方向断面視にて凹及び凸の一方の形状とされた被係合部と、
前記土台部の前記見切り材側に設けられ、前記長手方向断面視にて凹及び凸の他方の形状とされ、前記被係合部に係合することで前記見切り材の長手方向の移動を規制する係合部と、
を備える床見切り。
【請求項２】
前記被係合部及び前記係合部の一方は、
前記見切り材の長手方向に直交する幅方向に幅を有する２枚の突状部を有し、その２枚の突状部によって凹形状とされ、
前記被係合部及び前記係合部の他方は、
前記２枚の突状部の間に挟まれかつ前記幅方向に幅を有する１枚の突状部を有し、その１枚の突状部によって凸形状とされた請求項１に記載の床見切り。
【請求項３】
前記２枚の突状部及び前記１枚の突状部は、平面視にてＶ字状に形成され、
前記２枚の突状部におけるＶ字の各辺をなす部分が、前記１枚の突状部におけるＶ字の各辺をなす部分を挟む請求項２に記載の床見切り。
【請求項４】
前記土台部は、その長手方向に接続されて複数配置され、
前記係合部は、複数の前記土台部に跨って固定されている請求項１〜３のいずれか１項に記載の床見切り。
【請求項５】
前記見切り材は、その長手方向に接続されて複数配置され、
前記被係合部は、複数の前記見切り材に跨って固定されている請求項１〜４のいずれか１項に記載の床見切り。
【請求項６】
前記２枚の突状部及び前記１枚の突状部は、平面視にて、前記見切り材の長手方向に対する前記各辺をなす部分の角度が４５度とされている請求項３に記載の床見切り。
【請求項７】
第１の床材と、
第２の床材と、
前記第１の床材と前記第２の床材との間に配置された請求項１〜６のいずれか１項に記載の床見切りと、
を備える床構造。
【発明の詳細な説明】
【技術分野】
【０００１】
本発明は、床見切り、床構造に関する。
【背景技術】
【０００２】
特許文献１には、隙間確保用のスペーサが、見切り材の下側であって、床材と見切り受け材との間に配置された構成が開示されている。
【先行技術文献】
【特許文献】
【０００３】
【特許文献１】特開２００２−７０３０２号公報
【発明の概要】
【発明が解決しようとする課題】
【０００４】
ここで、特許文献１のスペーサは、軟質合成樹脂等で形成されており、床材が伸びてスペーサが押されたときに容易に変形するように構成されている。このため、施工後の環境変化により、床材が伸びた場合にその伸びが吸収される。
【０００５】
しかしながら、特許文献１の構成では、施工後の環境変化により、見切り材がその長手方向に伸縮する場合については、考慮されていない。したがって、見切り材が環境変化によりその長手方向に縮むと、見切り材の継ぎ目部分（留め部を含む）において、隙間が発生する。
【０００６】
本発明は、上記事実を考慮し、見切り材の長手方向における継ぎ目部分で隙間が発生するのを抑制することを課題とする。
【課題を解決するための手段】
【０００７】
請求項１に記載の床見切りは、土台部と、前記土台部の長手方向に沿って前記土台部の上側に装着される見切り材と、前記見切り材の前記土台部側に設けられ、前記見切り材の長手方向断面視にて凹及び凸の一方の形状とされた被係合部と、前記土台部の前記見切り材側に設けられ、前記長手方向断面視にて凹及び凸の他方の形状とされ、前記被係合部に係合することで前記見切り材の長手方向の移動を規制する係合部と、を備える。
【０００８】
この構成によれば、見切り材が、土台部の上側に装着される。この見切り材は、見切り材に設けられた被係合部に対して、土台部に設けられた係合部が係合することで、見切り材の長手方向の移動が規制される。これにより、見切り材の長手方向における継ぎ目部分で隙間が発生するのを抑制できる。
【０００９】
請求項２に記載の床見切りは、前記被係合部及び前記係合部の一方は、前記見切り材の長手方向に直交する幅方向に幅を有する２枚の突状部を有し、その２枚の突状部によって凹形状とされ、前記被係合部及び前記係合部の他方は、前記２枚の突状部の間に挟まれかつ前記幅方向に幅を有する１枚の突状部を有し、その１枚の突状部によって凸形状とされた。
【００１０】
この構成によれば、幅方向に幅を有する２枚の突状部で、幅方向に幅を有する１枚の突状部を挟む。これにより、見切り材の長手方向の両方向の移動を効果的に規制される。この結果、見切り材の長手方向における継ぎ目部分で隙間が発生するのを効果的に抑制できる。
【００１１】
請求項３に記載の床見切りは、前記２枚の突状部及び前記１枚の突状部は、平面視にてＶ字状に形成され、前記２枚の突状部におけるＶ字の各辺をなす部分が、前記１枚の突状部におけるＶ字の各辺をなす部分を挟む。
【００１２】
この構成によれば、２枚の突状部におけるＶ字の各辺をなす部分が、１枚の突状部におけるＶ字の各辺をなす部分を挟むので、見切り材の幅方向への移動も規制される。
【００１３】
請求項４に記載の床見切りは、前記土台部は、その長手方向に接続されて複数配置され、前記係合部は、複数の前記土台部に跨って固定されている。
【００１４】
この構成によれば、係合部が複数の土台部に跨って固定されているので、複数の土台部の一方に対する他方の相対位置が固定される。これにより、例えば、土台部が設置される床下地材などに対する土台部の固定が不十分であったとしても、複数の土台部の間で隙間が発生するのを抑制できる。この結果、土台部に装着される見切り材の長手方向における継ぎ目部分で隙間が発生するのを効果的に抑制できる。
【００１５】
請求項５に記載の床見切りは、前記見切り材は、その長手方向に接続されて複数配置され、前記被係合部は、複数の前記見切り材に跨って固定されている。
【００１６】
この構成によれば、被係合部が複数の見切り材に跨って固定されているので、複数の見切り材の一方に対する他方の相対位置が固定される。これにより、複数の見切り材の間で隙間が発生するのを効果的に抑制できる。
【００１７】
請求項６に記載の床見切りは、前記２枚の突状部及び前記１枚の突状部は、平面視にて、前記見切り材の長手方向に対する前記各辺をなす部分の角度が４５度とされている。
【００１８】
この構成によれば、留め部を加工するために見切り材をその長手方向に対して４５度に切断する際に、突状部におけるＶ字の各辺をなす部分をガイドとして用いることができる。すなわち、突状部のＶ字の各辺をなす部分に沿って見切り材を切断することで、見切り材をその長手方向に対して４５度に切断できる。
【００１９】
請求項７に記載の床構造は、第１の床材と、第２の床材と、前記第１の床材と前記第２の床材との間に配置された請求項１〜６のいずれか１項に記載の床見切りと、を備える。
【００２０】
この構成によれば、第１の床材と第２の床材との間に配置された床見切りにおいて、見切り材の長手方向における継ぎ目部分で隙間が発生するのを抑制できる。これにより、第１の床材と第２の床材との間に隙間が生じて見栄えが悪くなることを抑制できる。
【発明の効果】
【００２１】
請求項１に記載の構成によれば、見切り材の長手方向における継ぎ目部分で隙間が発生するのを抑制できる。
【００２２】
請求項２に記載の構成によれば、２枚の突状部で１枚の突状部を挟むことで、見切り材の長手方向における継ぎ目部分で隙間が発生するのを効果的に抑制できる。
【００２３】
請求項３に記載の構成によれば、見切り材の幅方向への移動も規制される。
【００２４】
請求項４に記載の構成によれば、複数の土台部の間での隙間の発生を抑制することで、土台部に装着される見切り材の長手方向における継ぎ目部分で隙間が発生するのを効果的に抑制できる。
【００２５】
請求項５に記載の構成によれば、複数の見切り材の一方に対する他方の相対位置が固定されることで、複数の見切り材の間で隙間が発生するのを効果的に抑制できる。
【００２６】
請求項６に記載の構成によれば、突状部におけるＶ字の各辺をなす部分をガイドとして用いることができる。
【００２７】
請求項７に記載の構成によれば、第１の床材と第２の床材との間に隙間が生じて見栄えが悪くなることを抑制できる。
【図面の簡単な説明】
【００２８】
【図１】第１実施形態に係る床構造の構成を示す斜視図である。
【図２】第１実施形態に係る床見切りの構成を示す斜視図である。
【図３】図１におけるＡ−Ａ線断面図である。
【図４】（Ａ）第１実施形態に係る土台部の平面図であり、（Ｂ）第１実施形態に係る見切り材の平面図である。
【図５】図１におけるＢ−Ｂ線断面図において、土台部と見切り材とを分解した断面図である。
【図６】図１におけるＢ−Ｂ線断面図である。
【図７】第１実施形態の留め部における土台部の構成を示す平面図である。
【図８】第１実施形態の留め部における見切り材の構成を示す底面図である。
【図９】図５に示す床見切りの構成の変形例を示す断面図である。
【図１０】第２実施形態に係る床見切りの構成を示す側面図である。
【図１１】（Ａ）第２実施形態に係る土台部の平面図であり、（Ｂ）第２実施形態に係る見切り材の底面図である。
【図１２】第２実施形態に係る床見切りの構成を示す平面図である。
【発明を実施するための形態】
【００２９】
以下に、本発明に係る実施形態の一例を図面に基づき説明する。
【００３０】
［第１実施形態］
（床構造１０の構成）
まず、第１実施形態に係る床構造１０の構成を説明する。図１は、床構造１０の構成を示す斜視図である。
【００３１】
床構造１０は、図１に示されるように、第１の床材としてのフローリング材１２と、第２の床材としてのカーペット材１４と、を有している。フローリング材１２は、平面視にて、Ｌ字状に形成されている。カーペット材１４は、平面視にて長方形状に形成されている。
【００３２】
フローリング材１２及びカーペット材１４は、その間に隙間Ｓが形成されるように、床下地材１６（図３参照）上に設けられている。この隙間Ｓは、カーペット材１４の外縁（カーペット材１４の長辺及び短辺）に沿って形成されており、平面視Ｌ字状をなしている。この平面視Ｌ字状の隙間Ｓ（すなわち、フローリング材１２とカーペット材１４との取り合い部分）には、床見切り２０が設けられている。
【００３３】
なお、第１の床材及び第２の床材としては、フローリング材１２及びカーペット材１４に限られず、他の床材を用いてもよい。また、第１の床材と第２の床材とは、異種の床材であっても、同種の床材であってもよい。
【００３４】
（床見切り２０の構成）
次に、本実施形態に係る床見切り２０の構成を説明する。図２は、床見切り２０の構成を示す斜視図である。図３は、図１におけるＡ−Ａ線断面図である。
【００３５】
床見切り２０は、図２に示されるように、隙間Ｓ（図１参照）に沿って長さを有する土台部２２と、土台部２２の長手方向に沿って長さを有し土台部２２の上側に装着される見切り材２４と、を備えている。
【００３６】
見切り材２４は、図１に示されるように、フローリング材１２及びカーペット材１４との間の平面視Ｌ字状の隙間Ｓに沿って、例えば、複数配置されている。すなわち、見切り材２４は、その長手方向に接続されて複数配置されている。
【００３７】
土台部２２も、図示はしないが、見切り材２４と同様に、平面視Ｌ字状の隙間Ｓに沿って、複数配置されている。すなわち、土台部２２は、その長手方向に接続されて複数配置されている。
【００３８】
図１に示されるように、平面視Ｌ字状の隙間ＳのＬ字における各辺をなす部分Ｓ１、Ｓ２には、見切り材２４間の継ぎ目部分２９Ａ及び土台部２２間の継ぎ目部分２７Ａ（図４（Ａ）及び図５参照）が形成されている。また、平面視Ｌ字状の隙間ＳのＬ字における角部Ｋには、見切り材２４間の継ぎ目部分（留め部）２９Ｂ及び土台部２２間の継ぎ目部分（留め部）２７Ｂ（図７参照）が形成されている。
【００３９】
なお、各継ぎ目部分２９Ａ及び継ぎ目部分（留め部）２９Ｂは、２つの見切り材２４の長手方向端部同士が合わさって構成されている。すなわち、当該２つの見切り材２４の一方が他方から離れて、当該２つの見切り材２４の間に隙間が形成しうる状態で、当該２つの見切り材２４が接続されている。各継ぎ目部分２７Ａ及び継ぎ目部分（留め部）２７Ｂも、同様に、２つの土台部２２の長手方向端部同士が合わさって構成されている。すなわち、当該２つの土台部２２の一方が他方から離れた場合では、当該２つの土台部２２の間に隙間が形成されうる。
【００４０】
各土台部２２及び各見切り材２４は、図３に示されるように、上下に対向配置されている。したがって、見切り材２４間の継ぎ目部分２９Ａ及び土台部２２間の継ぎ目部分２７Ａ、見切り材２４間の継ぎ目部分（留め部）２９Ｂ及び土台部２２間の継ぎ目部分（留め部）２７Ｂも、それぞれ、上下に対向配置されている（図５参照）。
【００４１】
土台部２２は、図２に示されるように、板状の底部２２Ａと、底部２２Ａの上面から立設された一対の板状の立設部２２Ｂと、を有している。底部２２Ａは、平面視Ｌ字状の隙間Ｓの長手方向に沿って長さを有している。底部２２Ａにおける長手方向と直交する幅方向の両端部には、上方へ突出する突出部２２Ｃが、底部２２Ａの長手方向に沿って形成されている。
【００４２】
一対の立設部２２Ｂは、突出部２２Ｃの間で、底部２２Ａの幅方向に間隔をおいて、底部２２Ａの長手方向に沿って形成されている。一対の立設部２２Ｂの外側（突出部２２Ｃ側）には、それぞれ、凹凸状の係止部２２Ｄが形成されている。
【００４３】
そして、土台部２２は、底部２２Ａがビスや接着により、隙間Ｓにおいて、床下地材１６上に固定されている（図３参照）。
【００４４】
見切り材２４は、図３に示されるように、隙間Ｓを覆うための板状のカバー部２４Ａと、カバー部２４Ａの下面から下方へ延出された一対の板状の延出部２４Ｂと、を有している。カバー部２４Ａは、隙間Ｓの長手方向に沿って長さを有している。また、カバー部２４Ａにおける長手方向と直交する幅は、隙間Ｓの幅よりも広くされている。
【００４５】
一対の延出部２４Ｂは、図４（Ｂ）に示されるように、カバー部２４Ａの幅方向に間隔をおいて、カバー部２４Ａの長手方向に沿って形成されている。図２に示されるように、一対の延出部２４Ｂの内側（互いが対向する側）には、それぞれ、係止部２２Ｄに係止される凹凸状の被係止部２４Ｄが形成されている。すなわち、見切り材２４は、被係止部２４Ｄが、土台部２２の係止部２２Ｄに係止されることで、土台部２２の上側に装着されるようになっている。
【００４６】
さらに、床見切り２０は、図４（Ｂ）に示されるように、継ぎ目部分２９Ａにおいて２つの見切り材２４に跨って設けられた被係合部としての被係合部材３４と、図４（Ａ）に示されるように、継ぎ目部分２７Ａにおいて２つの土台部２２に跨って設けられた係合部としての係合部材３２と、を備えている。
【００４７】
被係合部材３４は、図５に示されるように、上板３４Ａと、上板３４Ａの下面から下方に突出する２つの板状の突状部３４Ｂと、を有している。上板３４Ａは、継ぎ目部分２９Ａを構成する２つの見切り材２４の下面（土台部２２側の面）に対して、図２に示されるように、一対の延出部２４Ｂの間で、接着などにより固定されている。上板３４Ａは、見切り材２４の長手方向に沿って長さを有すると共に、見切り材２４の幅方向に沿って所定の幅を有している。
【００４８】
２つの突状部３４Ｂは、図５に示されるように、上板３４Ａの長手方向に間隔をおいて形成されている。具体的には、２つの突状部３４Ｂの一方が、継ぎ目部分２９Ａを構成する２つの見切り材２４の一方の下方側に位置し、２つの突状部３４Ｂの他方が、継ぎ目部分２９Ａを構成する２つの見切り材２４の他方の下方側に位置するようになっている。また、２つの突状部３４Ｂは、図４（Ｂ）に示されるように、上板３４Ａと同一幅とされている。
【００４９】
このように、本実施形態では、被係合部材３４における各被係合部分は、各突状部３４Ｂで構成されており、各突状部３４Ｂによって見切り材２４の長手方向断面視にて凸形状とされている。
【００５０】
一方、係合部材３２は、底板３２Ａと、底板３２Ａの上面から上方に突出する４つの板状の突状部３２Ｂと、を有している。
【００５１】
底板３２Ａは、継ぎ目部分２７Ａを構成する２つの土台部２２の底部２２Ａの上面（見切り材２４側の面）に対して、図２に示されるように、一対の立設部２２Ｂの間で、接着などにより固定されている。底板３２Ａは、土台部２２の長手方向に沿って長さを有すると共に、土台部２２の幅方向に沿って所定の幅を有している。
【００５２】
４つの突状部３２Ｂは、図５に示されるように、各２つが近接して配置されており、この２つの突状部３２Ｂで、係合部材３２における係合部分３３を構成している。すなわち、４つの突状部３２Ｂで、２つの係合部分３３を構成されている。２つの係合部分３３は、底板３２Ａの長手方向に間隔をおいて形成されている。具体的には、２つの係合部分３３の一方が、継ぎ目部分２７Ａを構成する２つの土台部２２の一方の上方側に位置し、２つの突状部３２Ｂの他方が、継ぎ目部分２７Ａを構成する２つの土台部２２の他方の上方側に位置するようになっている。
【００５３】
各係合部分３３は、図６に示されるように、被係合部材３４の１枚の突状部３４Ｂが、２枚の突状部３２Ｂの間に差し込まれることで、被係合部材３４の１枚の突状部３４Ｂを２枚の突状部３２Ｂで見切り材２４の長手方向に挟むようになっている。被係合部材３４の１枚の突状部３４Ｂを２枚の突状部３２Ｂが挟むことで、係合部材３２が被係合部材３４に係合し、見切り材２４の長手方向の移動を規制するようになっている。なお、図４（Ａ）に示されるように、４つの突状部３２Ｂは、底板３２Ａと同一幅とされている。
【００５４】
このように、本実施形態では、係合部材３２における各係合部分３３が、図５に示されるように、２枚の突状部３２Ｂによって見切り材２４の長手方向断面視にて凹形状とされている。
【００５５】
なお、本実施形態では、図７に示されるように、継ぎ目部分（留め部）２７Ｂを構成する２つの土台部２２に対しても、この２つの土台部２２に跨って係合部材３２が設けられている。この係合部材３２の底板３２Ａは、平面視にてＬ字状に形成されている。
【００５６】
底板３２ＡにおけるＬ字の各辺をなす部分のそれぞれに、２つの係合部分３３が配置されている。すなわち、継ぎ目部分（留め部）２７Ｂを構成する２つの土台部２２の一方の上方側に対して、２つの係合部分３３が配置され、当該２つの土台部２２の他方の上方側に対して、２つの係合部分３３が配置されている。
【００５７】
また、本実施形態では、図８に示されるように、継ぎ目部分（留め部）２７Ｂに対向する継ぎ目部分（留め部）２９Ｂを構成する２つの見切り材２４に対しても、この２つの見切り材２４に跨って被係合部材３４が設けられている。この被係合部材３４の上板３４Ａは、平面視にてＬ字状に形成されている。
【００５８】
上板３４ＡにおけるＬ字の各辺をなす部分のそれぞれに、２つの突状部３４Ｂが配置されている。すなわち、継ぎ目部分（留め部）２９Ｂを構成する２つの見切り材２４の一方の下方側に対して、２つの突状部３４Ｂが配置され、当該２つの見切り材２４の他方の上方側に対して、２つの突状部３４Ｂが配置されている。
【００５９】
平面視Ｌ字状の上板３４Ａにおける各突状部３４Ｂは、平面視Ｌ字状の底板３２Ａにおける各係合部分３３に係合されるようになっている。
【００６０】
以上のように、床見切り２０では、見切り材２４及び土台部２２と別部品で構成された被係合部材３４及び係合部材３２が、それぞれ、継ぎ目部分２７Ａ、２７Ｂ及び継ぎ目部分２９Ａ、２９Ｂにおいて、見切り材２４及び土台部２２に固定されている。
【００６１】
（第１実施形態に係る作用）
次に、第１実施形態に係る作用を説明する。
【００６２】
第１実施形態の床構造１０では、例えば、以下のように、床見切り２０の施工が行われる。すなわち、まず、土台部２２が、平面視Ｌ字状の隙間Ｓ内にその隙間Ｓに沿って複数配置される。
【００６３】
次に、隙間Ｓに複数配置された土台部２２は、それぞれ、長手方向端部同士が合わさった状態で、底部２２Ａがビスや接着により、床下地材１６上に固定される（図３参照）。複数の土台部２２の長手方向端部同士が合わさることで、継ぎ目部分２７Ａ（図４（Ａ）及び図５参照）及び継ぎ目部分（留め部）２７Ｂ（図７参照）が形成される。
【００６４】
次に、継ぎ目部分２７Ａ（図４（Ａ）及び図５参照）及び継ぎ目部分（留め部）２７Ｂにおいて、２つの土台部２２に跨るように、その２つの土台部２２の底部２２Ａの上面に対して、係合部材３２が一対の立設部２２Ｂの間で接着などにより固定される。
【００６５】
次に、係合部材３２の各係合部分３３における２枚の突状部３２Ｂの間に対して、被係合部材３４の１枚の突状部３４Ｂが差し込んで、被係合部材３４が係合部材３２上に載置される。
【００６６】
次に、被係合部材３４の上板３４Ａの上面に接着剤が塗布される。そして、見切り材２４が、平面視Ｌ字状の隙間Ｓに沿って複数配置されるように、土台部２２の上側に装着される。具体的には、見切り材２４の被係止部２４Ｄが、土台部２２の係止部２２Ｄに係止されることで、見切り材２４が、隙間Ｓを覆うように土台部２２の上側に装着される。
【００６７】
このとき、接着剤が塗布された上板３４Ａの上面において、隙間Ｓに複数配置された見切り材２４の長手方向端部同士が合わさって、図１に示されるように、継ぎ目部分２９Ａ及び継ぎ目部分（留め部）２９Ｂが形成される。これにより、被係合部材３４の上板３４Ａが、２つの見切り材２４に跨ってその下面に対して、一対の延出部２４Ｂの間で、接着により固定される。
【００６８】
ここで、本実施形態の構成では、図６に示されるように、係合部材３２の２枚の突状部３２Ｂが、被係合部材３４の１枚の突状部３４Ｂを挟んでいる。これにより、見切り材２４の長手方向の移動が規制される。このため、見切り材２４が環境変化により縮んだ場合でも、見切り材２４の長手方向における継ぎ目部分２９Ａ及び継ぎ目部分（留め部）２９Ｂで隙間が発生するのを抑制できる。
【００６９】
また、見切り材２４の長手方向端部に他の部材が配置されている場合には、見切り材２４と他の部材との間（継ぎ目部分）において隙間が発生するのが抑制できる。さらに、見切り材２４が環境変化により伸びた場合でも、見切り材２４の浮き上がりや波打ちの発生を抑制できる。
【００７０】
特に、本実施形態では、幅方向に幅を有する２枚の突状部３２Ｂで、幅方向に幅を有する１枚の突状部３４Ｂを挟む。これにより、見切り材２４の長手方向の両方向の移動を効果的に規制される。この結果、見切り材２４の長手方向における継ぎ目部分２９Ａ及び継ぎ目部分（留め部）２９Ｂで隙間が発生するのを効果的に抑制できる。また、見切り材２４の浮き上がりや波打ちの発生も効果的に抑制できる。
【００７１】
さらに、本実施形態では、被係合部材３４が複数の見切り材２４に跨って固定されているので、複数の見切り材２４の一方に対する他方の相対位置が固定される。これにより、複数の見切り材２４の間で隙間が発生するのを効果的に抑制できる。
【００７２】
また、本実施形態では、係合部材３２が複数の土台部２２に跨って固定されているので、複数の土台部２２の一方に対する他方の相対位置が固定される。これにより、例えば、床下地材１６に対する土台部２２の固定が不十分であったとしても、複数の土台部２２の間で隙間が発生するのを抑制できる。この結果として、土台部２２に装着される見切り材２４の長手方向における継ぎ目部分２９Ａ及び継ぎ目部分（留め部）２９Ｂで隙間が発生するのを効果的に抑制できる。
【００７３】
以上により、フローリング材１２とカーペット材１４との間に隙間が生じて見栄えが悪くなることを抑制できる。
【００７４】
また、本実施形態では、被係合部としての被係合部材３４及び係合部としての係合部材３２は、見切り材２４及び土台部２２と別部品で構成されている。このため、従来の土台部及び見切り材に対して、これらと別部品で構成された被係合部材３４及び係合部材３２を追加することで、床見切り２０を構成できる。すなわち、従来の土台部及び見切り材が設置された床見切りをリフォームする際に被係合部材３４及び係合部材３２を追加して、新たに、床見切り２０を構成することができる。
【００７５】
なお、本実施形態では、見切り材２４は、土台部２２に対しては固定されていないので、土台部２２から取り外すことが可能である。
【００７６】
（第１実施形態の変形例）
前述の床見切り２０では、係合部材３２の突状部３２Ｂ及び、被係合部材３４の突状部３４Ｂは、平面視にて見切り材２４の幅方向に沿って直線状に形成されていたが、これに限られず、例えば、後述の第２実施形態に係る床見切り５０に示すように、平面視にてＶ字に形成された構成であってもよい。
【００７７】
前述の床見切り２０では、１枚の突状部３４Ｂが被係合部材３４に形成され、この１枚の突状部３４Ｂを挟む２枚の突状部３２Ｂが係合部材３２に形成されていたが、これに限られず、例えば、１枚の突状部３４Ｂが係合部材３２に形成され、２枚の突状部３２Ｂが被係合部材３４に形成される構成であってもよい。すなわち、被係合部材３４の被係合部分及び係合部材３２の係合部分３３の一方が、凹部（凹形状）に形成され、被係合部材３４の被係合部分及び係合部材３２の係合部分３３の他方が、凹部（凹形状）に係合する凸部（凸形状）に形成されていればよい。
【００７８】
さらに、図９に示されるように、被係合部材３４の２つの突状部３４Ｂの一方と、係合部材３２における２枚の突状部３２Ｂで構成される２つの係合部分３３の一方とを入れ替えた構成であってもよい。この構成によれば、被係合部材３４と係合部材３２との形状が同一となり、部品の共通化が可能となる。
【００７９】
［第２実施形態］
次に、第２実施形態に係る床見切り５０について説明する。図１０は、第２実施形態に係る床見切り５０の構成を示す側面図である。
【００８０】
床見切り５０は、床構造１０における床見切り２０に代えて、隙間Ｓに配置されるものである。前述の床見切り２０では、被係合部としての被係合部材３４及び係合部としての係合部材３２が、見切り材２４及び土台部２２と別部品で構成されていたが、床見切り５０では、被係合部及び係合部のそれぞれが、見切り材及び土台部と一体に構成されている。
【００８１】
具体的には、床見切り５０は、図１０に示されるように、隙間Ｓ（図１及び１２参照）に沿って長さを有する土台部６０と、土台部６０の長手方向に沿って長さを有し土台部６０の上側に装着される見切り材７０と、を備えている。
【００８２】
土台部６０及び見切り材７０も、図１２に示されるように、土台部２２及び見切り材２４と同様に、平面視Ｌ字状の隙間Ｓに沿って、複数配置されている。すなわち、土台部６０及び見切り材７０は、その長手方向に接続されて複数配置されている。
【００８３】
平面視Ｌ字状の隙間ＳのＬ字における各辺をなす部分には、見切り材７０間の継ぎ目部分９９Ａ及び土台部６０間の継ぎ目部分９７Ａが形成されている。また、平面視Ｌ字状の隙間ＳのＬ字における角部Ｋには、見切り材７０間の継ぎ目部分（留め部）９９Ｂ及び土台部６０間の継ぎ目部分（留め部）９７Ｂが形成されている。
【００８４】
なお、各継ぎ目部分９９Ａ及び継ぎ目部分（留め部）９９Ｂは、２つの見切り材７０の長手方向端部同士が合わさって構成されている。すなわち、当該２つの見切り材７０の一方が他方から離れて、当該２つの見切り材７０の間に隙間が形成しうる状態で、当該２つの見切り材７０が接続されている。各継ぎ目部分９７Ａ及び継ぎ目部分（留め部）９７Ｂも、同様に、２つの土台部６０の長手方向端部同士が合わさって構成されている。すなわち、当該２つの土台部６０の一方が他方から離れた場合では、当該２つの土台部６０の間に隙間が形成されうる。
【００８５】
各土台部６０及び各見切り材７０は、図１０に示されるように、上下に対向配置されている。したがって、見切り材７０間の継ぎ目部分９９Ａ及び土台部６０間の継ぎ目部分９７Ａ、見切り材７０間の継ぎ目部分（留め部）９９Ｂ及び土台部６０間の継ぎ目部分（留め部）９７Ｂも、それぞれ、上下に対向配置されている。
【００８６】
土台部６０は、板状の底部６２と、底部６２の上面から立設された複数の係合部６４と、を有している。底部６２は、平面視Ｌ字状の隙間Ｓ（図１２参照）の長手方向に沿って長さを有している。
【００８７】
複数の係合部６４は、図１１（Ａ）に示されるように、底部６２の幅方向中央部で、底部６２の長手方向に沿って所定間隔をおいて配置されている。各係合部６４は、平面視にてＶ字状に形成された突状部で構成されている。各係合部６４は、具体的にはＶ字の一方の辺をなす板状部６４Ａと、Ｖ字の他方の辺をなす板状部６４Ｂと、で構成されている。板状部６４Ａは、平面視にて板状部６４Ｂに対して９０度の角度を有している。また、板状部６４Ａ及び板状部６４Ｂは、平面視にて、土台部６０の長手方向（Ｘ方向）に対する角度が、４５度とされている。
【００８８】
見切り材７０は、図１０に示されるように、隙間Ｓ（図１２参照）を覆うための板状のカバー部７２と、カバー部７２の下面から下方へ延出された複数の被係合部８０と、を有している。カバー部７２は、平面視Ｌ字状の隙間Ｓ（図１２参照）の長手方向に沿って長さを有している。また、図１２に示されるように、カバー部７２における長手方向と直交する幅は、隙間Ｓの幅よりも広くされている。
【００８９】
複数の被係合部８０は、図１１（Ｂ）に示されるように、カバー部７２の幅方向中央部で、カバー部７２の長手方向に沿って所定間隔をおいて配置されている。各被係合部８０は、平面視にてＶ字状に形成された２つの突状部８２、８４で構成されている。具体的には、２つの突状部８２、８４は、それぞれ、Ｖ字の一方の辺をなす板状部８２Ａ、８４Ａと、Ｖ字の他方の辺をなす板状部８２Ｂ、８４Ｂと、で構成されている。
【００９０】
２つの突状部８２、８４は、互いが近接して配置されるとともに、Ｖ字の角部８２Ｃ、８４Ｃが同一方向（紙面右側）を向いている。また、板状部８２Ａと板状部８４Ａとの間に係合部６４の板状部６４Ａが差し込まれる差込間隙が形成されるように、板状部８２Ａと板状部８４Ａとが対向配置されている。また、板状部８２Ｂと板状部８４Ｂとの間に係合部６４の板状部６４Ｂが差し込まれる差込間隙が形成されるように、板状部８２Ｂと板状部８４Ｂとが対向配置されている。
【００９１】
そして、係合部６４の板状部６４Ａ及び板状部６４Ｂが、板状部８２Ａと板状部８４Ａとの間の差込間隙及び板状部８２Ｂと板状部８４Ｂとの間の差込間隙にそれぞれ、差し込まれることにより、見切り材７０が、土台部６０の上側に装着されるようになっている。
【００９２】
また、板状部６４Ａ及び板状部６４Ｂが、当該差込間隙にそれぞれ、差し込まれることで、係合部６４の板状部６４Ａが、被係合部８０の板状部８２Ａと板状部８４Ａとで挟まれ、係合部６４の板状部６４Ｂが、被係合部８０の板状部８２Ｂと板状部８４Ｂとで挟まれるようになっている。これにより、係合部６４が被係合部８０に係合し、見切り材７０の長手方向及び短手方向の移動を規制するようになっている。
【００９３】
また、板状部８２Ａ及び板状部８４Ａは、それぞれ、平面視にて板状部８２Ｂと板状部８４Ｂに対して９０度の角度を有している。また、板状部８２Ａ、板状部８２Ｂ、板状部８４Ａ及び板状部８４Ｂは、それぞれ、平面視にて、見切り材７０の長手方向（Ｘ方向）に対する角度が、４５度とされている。
【００９４】
（第２実施形態に係る作用）
次に、第２実施形態に係る作用を説明する。
【００９５】
第２実施形態では、例えば、以下のように、床見切り５０の施工が行われる。すなわち、まず、土台部６０が、平面視Ｌ字状の隙間Ｓ内にその隙間Ｓに沿って複数配置される。
【００９６】
次に、隙間Ｓに複数配置された土台部６０は、それぞれ、長手方向端部同士が合わさった状態で、底部６２がビスや接着により、床下地材１６上に固定される（図３参照）。複数の土台部６０の長手方向端部同士が合わさることで、継ぎ目部分９７Ａ及び継ぎ目部分（留め部）９７Ｂが形成される。
【００９７】
土台部６０の板状部６４Ａ及び板状部６４Ｂが、見切り材７０の板状部８２Ａと板状部８４Ａとの間の差込間隙及び板状部８２Ｂと板状部８４Ｂとの間の差込間隙にそれぞれ差し込まれて、見切り材７０が、土台部６０の上側に装着される。
【００９８】
ここで、第２実施形態の構成では、被係合部８０の板状部８２Ａ、８４Ａが、係合部６４の板状部６４Ａを挟み、被係合部８０の板状部８２Ｂ、８４Ｂが、係合部６４の板状部６４Ｂを挟む。これにより、係合部６４が被係合部８０に係合し、見切り材７０の長手方向の移動を規制する。このため、見切り材７０が環境変化により縮んだ場合でも、見切り材７０の長手方向における継ぎ目部分９９Ａ及び継ぎ目部分（留め部）９９Ｂで隙間が発生するのを抑制できる。
【００９９】
また、見切り材７０の長手方向端部に他の部材が配置されている場合には、見切り材７０と他の部材との間（継ぎ目部分）において隙間が発生するのが抑制できる。さらに、見切り材７０が環境変化により伸びた場合でも、見切り材７０の浮き上がりや波打ちの発生を抑制できる。
【０１００】
特に、本実施形態では、２枚の板状部８２Ａ、８４Ａで板状部６４Ａを挟むと共に、２枚の板状部８２Ｂ、８４Ｂで、板状部６４Ｂを挟むので、見切り材７０の長手方向の両方向の移動を効果的に規制される。この結果、見切り材７０の長手方向における継ぎ目部分９９Ａ及び継ぎ目部分（留め部）９９Ｂで隙間が発生するのを効果的に抑制できる。また、見切り材７０の浮き上がりや波打ちの発生も効果的に抑制できる。
【０１０１】
さらに、本実施形態では、板状部８２Ａ、８２Ｂ及び板状部８４Ａ、８４Ｂは、それぞれ、平面視にてＶ字をなすので、見切り材７０の幅方向への移動も規制される。
【０１０２】
また、本実施形態では、継ぎ目部分（留め部）９９Ｂを加工するために見切り材７０をその長手方向に対して４５度に切断する際に、板状部８２Ａ又は板状部８２Ｂをガイドとして用いることができる。すなわち、板状部８２Ａ又は板状部８２Ｂに沿って見切り材７０を切断することで、見切り材７０をその長手方向に対して４５度に切断できる。
【０１０３】
また、同様に、継ぎ目部分（留め部）９７Ｂを加工するために土台部６０をその長手方向に対して４５度に切断する際に、板状部６４Ａ又は板状部６４Ｂをガイドとして用いることができる。すなわち、板状部６４Ａ又は板状部６４Ｂに沿って土台部６０を切断することで、土台部６０をその長手方向に対して４５度に切断できる。
【０１０４】
（第２実施形態の変形例）
前述の床見切り５０では、土台部６０が、第１実施形態における立設部２２Ｂに相当する立設部分を有しておらず、見切り材７０が、第１実施形態における延出部２４Ｂに相当する延出部分を有していなかったが、土台部６０及び見切り材７０は、それぞれ、当該立設部分及び延出部分を有する構成であってもよい。一対の当該立設部分は、例えば、係合部６４を挟むように、底部６２の幅方向に間隔をおいて、底部６２の長手方向に沿って形成される。また、一対の当該延出部分は、例えば、被係合部８０を挟むように、カバー部７２の幅方向に間隔をおいて、カバー部７２の長手方向に沿って形成される。この立設部分が、第１実施形態における立設部２２Ｂが延出部２４Ｂを係止するように、延出部分を係止するように構成することができる。
【０１０５】
前述の床見切り５０では、各係合部６４及び各被係合部８０の突状部８２、８４は、平面視にてＶ字に形成された構成であったが、これに限られず、例えば、第１実施形態に係る床見切り２０に示すように、平面視にて見切り材７０の幅方向に沿って直線状に形成された構成であってもよい。
【０１０６】
前述の床見切り５０では、各係合部６４が１枚の突状部で構成され、各被係合部８０が２枚の突状部８２、８４で構成されていたが、これに限られず、各係合部６４が２枚の突状部８２、８４で構成され、各被係合部８０が１枚の突状部で構成されていてもよい。すなわち、係合部６４及び被係合部８０の一方が、凹部（凹形状）に形成され、係合部６４及び被係合部８０の他方が、凹部（凹形状）に係合する凸部（凸形状）に形成されていればよい。
【０１０７】
本発明は、上記の実施形態に限るものではなく、種々の変形、変更、改良が可能である。例えば、上記に示した変形例は、適宜、複数を組み合わせて構成しても良い。
【符号の説明】
【０１０８】
１０   床構造
１２   フローリング材（第１の床材の一例）
１４   カーペット材（第２の床材の一例）
２０   床見切り
２２   土台部
２４   見切り材
３２   係合部材（係合部の一例）
３２Ｂ 突状部
３４   被係合部材（被係合部の一例）
３４Ｂ 突状部
６０   土台部
６４   係合部
６４Ａ 板状部（Ｖ字の各辺をなす部分の一例）
６４Ｂ 板状部（Ｖ字の各辺をなす部分の一例）
７０   見切り材
８０   被係合部
８２   突状部
８２Ａ 板状部（Ｖ字の各辺をなす部分の一例）
８２Ｂ 板状部（Ｖ字の各辺をなす部分の一例）
８４   突状部
８４Ａ 板状部（Ｖ字の各辺をなす部分の一例）
８４Ｂ 板状部（Ｖ字の各辺をなす部分の一例）
【図１】
2014145169.tif 000003
【図２】
2014145169.tif 000004
【図３】
2014145169.tif 000005
【図４】
2014145169.tif 000006
【図５】
2014145169.tif 000007
【図６】
2014145169.tif 000008
【図７】
2014145169.tif 000009
【図８】
2014145169.tif 000010
【図９】
2014145169.tif 000011
【図１０】
2014145169.tif 000012
【図１１】
2014145169.tif 000013
【図１２】
2014145169.tif 000014